(57)【要約】【課題】モールドケースのカバーを閉じた際に中心導体保持部におけるシールドを確実に行なわせることができ同軸ケーブル用プラグを提供する。【解決手段】モールドケース１１とモールドケースカバー１２は、横開き形式で開閉する。モールドケース１１に設ける端子ユニット２０は、シールドケース２１及びケーブル保持金具２２を一体に形成し、シールドケース２１内に中心導体保持ケース２４を設ける。シールドケース２１は前面の両側にシールドカバーガイド４２ａ、４２ｂを設ける。一方、モールドケースカバー１２には、シールドケース２１に対応させてシールドカバー４３を設ける。シールドカバー４３は、シールド面４６に接点４８ａ、４８ｂ、４９ａ〜４９ｃを形成し、モールドケースカバー１２を閉じた際に接点４９ａ〜４９ｃがシールドケース２１の内側に当接し、接点４８ａ、４８ｂがシールドカバーガイド４２ａ、４２ｂに当接する。【選択図】      図１
2007059137.tif 000002
【特許請求の範囲】
【請求項１】
プラグケースと、前記プラグケースの一辺に連結し開閉自在に設けられるケースカバーと、前記プラグケースに装着されるケーブル保持金具と、前記ケーブル保持金具に連設され、両側及び背面側にシールド面が形成されると共に前記ケーブル保持金具側の両側にシールドカバーガイドが形成されてなる上面開口のシールドケースと、前記シールドケースの底面に装着され、前記プラグケースより外部に突出して設けられる略円筒状の外導体用端子と、前記シールドケース内に絶縁した状態で設けられ、前記ケーブル保持金具により保持される同軸ケーブルの中心導体を保持する中心導体保持部と、前記中心導体保持部に連設され、前記外導体用端子の中心軸に配置される中心導体用端子と、前記シールドケースの上面開口部に対応して前記ケースカバー側に設けられるシールドカバーと、前記シールドカバー周囲のシールド面の上側縁に形成され、前記ケースカバーを閉じた際に前記シールドケースの両側及び背面のシールド面及び前記シールドカバーガイドに当接する接点とを具備することを特徴とする同軸ケーブル用プラグ。
【発明の詳細な説明】
【技術分野】
【０００１】
本発明は、高周波信号を伝送する同軸ケーブル用プラグに関する。
【背景技術】
【０００２】
テレビ受像機は、アンテナで受信された信号を入力するための高周波入力端子を備えており、この高周波入力端子として一般に接栓が使用されている。アンテナで受信された信号は、同軸ケーブルを使用してテレビ受像機まで導かれ、接栓によりテレビ受像機に接続される。しかし、接栓は、高価であり、且つ接続操作が面倒なことから、簡易に構成された同軸ケーブル用プラグを使用してテレビ受像機側の接栓に接続することが一般的に行なわれている（例えば、特許文献１参照。）。
【０００３】
同軸ケーブル用プラグは、最近は、その収容体として製造上の容易さから一辺を屈曲自在に開閉可能な樹脂によるモールド成型のケース、モールドケースが用いられ、このモールドケース内にシールドケースを設けると共に蓋側にシールドカバーを設け、上記シールドケース内で同軸ケーブルの中心導体をプラグの接続端子に接続し、その後、モールドケースのカバーを閉じる際に上記シールドカバーを上記シールドケースに被せ、同軸ケーブルの接続部から外来波が混入しないようにしている。
【特許文献１】実開昭５５−６１３７８号公報
【発明の開示】
【発明が解決しようとする課題】
【０００４】
上記のように従来の同軸ケーブル用プラグは、モールドケースのカバーを閉じる際にシールドカバーをシールドケースに被せてシールドするようにしているが、シールドケースとシールドカバーとの電気的接続が十分でなく、特に同軸ケーブル差し込み口側においては確実にシールドすることが困難であり、高周波信号に妨害を与える外来波が混入する恐れがあった。
【０００５】
本発明は上記の課題を解決するためになされたもので、プラグケースのカバーを閉じた際にシールドカバーとシールドケースとの電気的接続を確実に行なわせることができ、高周波信号に妨害を与える外来波の混入を防止することができる同軸ケーブル用プラグを提供することを目的とする。
【課題を解決するための手段】
【０００６】
本発明に係る同軸ケーブル用プラグは、プラグケースと、前記プラグケースの一辺に連結し開閉自在に設けられるケースカバーと、前記プラグケースに装着されるケーブル保持金具と、前記ケーブル保持金具に連設され、両側及び背面側にシールド面が形成されると共に前記ケーブル保持金具側の両側にシールドカバーガイドが形成されてなる上面開口のシールドケースと、前記シールドケースの底面に装着され、前記プラグケースより外部に突出して設けられる略円筒状の外導体用端子と、前記シールドケース内に絶縁した状態で設けられ、前記ケーブル保持金具により保持される同軸ケーブルの中心導体を保持する中心導体保持部と、前記中心導体保持部に連設され、前記外導体用端子の中心軸に配置される中心導体用端子と、前記シールドケースの上面開口部に対応して前記ケースカバー側に設けられるシールドカバーと、前記シールドカバー周囲のシールド面の上側縁に形成され、前記ケースカバーを閉じた際に前記シールドケースの両側及び背面のシールド面及び前記シールドカバーガイドに当接する接点とを具備することを特徴とする。
【発明の効果】
【０００７】
本発明によれば、中心導体保持部をシールドするシールドケースにシールドカバーガイドを設けると共に、シールドカバー側に前記シールドケース及びシールドカバーガイドに当接する接点を設けることにより、プラグケースのカバーを閉じた際にシールドカバーとシールドケースとの電気的接続を確実に行なわせることができ、高周波信号に妨害を与える外来波の混入を防止することができる。
【発明を実施するための最良の形態】
【０００８】
以下、図面を参照して本発明の一実施形態を説明する。  
図１は本発明の一実施形態に係る同軸ケーブル用プラグ１０の分解斜視図、図２はモールドケースカバーを開いた状態を示す斜視図である。図３はシールドケース及びケーブル保持金具部分の詳細を示したもので、（ａ）は平面図、（ｂ）はケーブル保持金具側から見た図、（ｃ）は側面図である。図４はシールドケースとシールドカバーとの関係を示す図である。
【０００９】
図１ないし図４において、１１はプラグケース例えば合成樹脂を用いてモールド成型したモールドケース、１２はモールドケースカバーである。このモールドケースカバー１２は、モールドケース１１の一辺に連結して開閉自在に設けられる。例えばモールドケース１１とモールドケースカバー１２は、一方の側部中央において肉薄のヒンジ部１３により一体に形成されており、横開き形式で開閉できるようになっている。上記モールドケースカバー１２にはヒンジ部１３と反対側の側部に係止片１４が形成され、また、モールドケース１１には上記係止片１４に対応する部分に凹部１５が形成されている。上記係止片１４は、先端にテーパ状の突部１６を備え、モールドケース１１に対してモールドケースカバー１２を閉じたときに係止片１４の突部１６がモールドケース１１の凹部１５部分において係止されるようになっている。上記モールドケースカバー１２を閉じた状態で、係止片１４の先端に外側方向の力を加えることによって係止状態が解除され、モールドケースカバー１２を開くことができる。
【００１０】
上記モールドケース１１及びモールドケースカバー１２には、一方の端部にそれぞれ略半円状のケーブル挿通穴１７ａ、１７ｂが形成される。また、モールドケース１１の面には、図１に示すようにケーブル挿通穴１７ａから離れた位置に、後述する外導体用端子２３ａを挿入するための穴１８が形成される。そして、モールドケース１１内には、上記穴１８の部分に端子ユニット２０が装着される。
【００１１】
上記端子ユニット２０は、上面開口のシールドケース２１と、ケーブル保持金具２２と、外部の接栓に接続するための端子部２３と、上記シールドケース２１内に設けられる合成樹脂製の中心導体保持ケース２４からなっている。上記ケーブル保持金具２２は、外部から挿入される同軸ケーブル６１を保持するためのもので、シールドケース２１と一体に設けられ、モールドケース１１内において、ケーブル挿通穴１７ａの近傍に配置される。また、ケーブル保持金具２２は、略Ｕ字状で開放端側が広くなっており、上端部等に同軸ケーブル６１を保持するための突状の爪２５が形成されている。上記同軸ケーブル６１は、中心導体６２の外側に絶縁体６３を介して編組線からなる外導体６４が設けられ、更に、この外導体６４の外側に外部被覆６５が設けられている。
【００１２】
また、上記端子部２３は、円筒状の外導体用端子２３ａとその中心軸に設けられるピン状の中心導体用端子２３ｂからなっている。外導体用端子２３ａは、モールドケース１１の穴１８内から外部に突出して設けられる。上記外導体用端子２３ａは、円筒状に形成された部分の直径が接続する接栓のネジ部の直径に合わせて形成されると共に、側部に沿ってスリット２６が形成される。すなわち、外導体用端子２３ａは、スリット２６を形成することによって弾力性を持たせ、接栓のネジ部に確実に装着できるようにしている。
【００１３】
上記シールドケース２１とケーブル保持金具２２は、図３に示すように一体に設けられる。上記シールドケース２１には、中央部にほぼ円状の穴３１が設けられると共に、穴３１の両側に外導体用端子２３ａを保持するための保持穴３２ａ、３２ｂが設けられる。外導体用端子２３ａの上端に形成された２つの突部（図示せず）がシールドケース２１の下側から上記保持穴３２ａ、３２ｂに挿入されて固定される。
【００１４】
上記シールドケース２１に設けた穴３１内には中心導体保持ケース２４の一部が挿入されるが、その挿入位置が所定の位置に定まるように穴３１の一部例えばケーブル保持金具２２側に膨らみを持たせている。
【００１５】
また、シールドケース２１には、両側及び背面にシールド面４１が形成され、ケーブル保持金具２２側には、両側にシールドカバーガイド４２ａ、４２ｂが設けられる。このシールドカバーガイド４２ａ、４２ｂ間は、同軸ケーブルを引き込むために開口している。
【００１６】
そして、シールドケース２１の両側に位置するシールド面４１には、中央部に横方向の切込みを入れると共にその両端部に縦方向の切込みを短く入れ、その切込みの上側端を外方に突出させて突部３３ａ、３３ｂを形成している、この突部３３ａ、３３ｂを形成することによってシールドケース２１内に凹部が形成される。この凹部を利用してシールドケース２１内に中心導体保持ケース２４が装着される。この中心導体保持ケース２４は、下部外周に沿って支持枠が形成されており、この支持枠に形成された突部（図示せず）が上記突部３３ａ、３３ｂの内側に形成される凹部に係合してシールドケース２１内に嵌合される。
【００１７】
上記中心導体保持ケース２４内には、同軸ケーブル６１の中心導体６２を保持する中心導体保持部２８が配設される。この中心導体保持部２８は、上記シールドケース２１に対し、中心導体保持ケース２４により絶縁された状態で設けられる。上記中心導体保持ケース２４には、ケーブル保持金具２２側に溝２９が形成され、この溝２９部分から同軸ケーブル６１の中心導体６２が中心導体保持部２８に挿入される。この中心導体保持部２８は、ケーブル接続用の固定基板（図示せず）にワッシャ付ネジ３４が螺着されており、このワッシャ付ネジ３４を締め付けることによって上記同軸ケーブル６１の中心導体６２を上記固定基板との間で固定するようになっている。上記中心導体保持部２８の固定基板には、上記端子部２３におけるピン状の中心導体用端子２３ｂが一体に連設されており、端子ユニット２０をモールドケース１１に装着した際に中心導体用端子２３ｂが外導体用端子２３ａの中心軸に沿って位置するようになっている。
【００１８】
上記端子ユニット２０をモールドケース１１に装着する際、シールドケース２１がモールドケース１１の内壁面に沿って嵌合される。この場合、シールドケース２１のシールド面４１に形成された突部３３ａ、３３ｂがモールドケース１１内の側部に形成されている凹部１９（図１参照）に嵌合される。
【００１９】
一方、モールドケースカバー１２には、上記シールドケース２１に対応するようにシールドカバー４３が嵌合される。モールドケースカバー１２には、円柱状の嵌合用突部４４が複数、例えば２つ形成されており、シールドカバー４３に設けられた透孔が嵌合される。
【００２０】
そして、上記シールドカバー４３は、前後及び左右の各シールド面４６の各角部にスリット４７を設け、各シールド面４６を独立させて弾性力を持たせている。また、上記各シールド面４６は、上側縁を折曲げ、その折曲げ部が外側方向に突出して位置するように、かつ、上端が内側方向に向かってテーパ状となるようにして接点４８ａ、４８ｂ、４９ａ〜４９ｃを形成している。この場合、４８ａ、４８ｂは前面側のシールド面４６に設けられる接点であり、４９ａ〜４９ｃは両側及び背面のシールド面４６に設けられる接点である。
【００２１】
上記前面側のシールド面４６には、上部中央に同軸ケーブル引き込み用の楕円半円状の開放面５０が形成され、その両端部上方に上記接点４８ａ、４８ｂが設けられる。また、他の両側及び背面のシールド面４６に形成される接点４９ａ〜４９ｃは、中央部に設けられた切り込み５１によってそれぞれ２つに分割される。
【００２２】
上記シールドカバー４３は、モールドケースカバー１２を閉じたときに接点４８ａ、４８ｂ、４９ａ〜４９ｃがシールドケース２１に設けられたシールドカバーガイド４２ａ、４２ｂ及びシールド面４１の内側に当接するように大きさが設定される。
【００２３】
上記のようにシールドカバー４３は、前後及び両側の全てのシールド面４６に対して接点４８ａ、４８ｂ、４９ａ〜４９ｃを設けている。この場合、前面側のシールド面４６に設けた接点４８ａ、４８ｂは、図４に示すようにシールドケース２１に設けたシールドカバーガイド４２ａ、４２ｂに対応している。すなわち、モールドケース１１に対してモールドケースカバー１２を閉じた際に、シールドケース２１の上部開口面にシールドカバー４３が位置し、シールドカバー４３の各シールド面４６に形成された接点４８ａ、４８ｂ、４９ａ〜４９ｃがシールドケース２１のシールドカバーガイド４２ａ、４２ｂ及び各シールド面４１の内側に圧接するようになっている。
【００２４】
そして、上記のように構成された同軸ケーブル用プラグ１０は、図２に示すようにモールドケース１１に対し、モールドケースカバー１２を開いて同軸ケーブル６１を取付ける。
【００２５】
上記同軸ケーブル６１を同軸ケーブル用プラグ１０に取付ける際は、中心導体６２及び外導体６４を所定長さ露出させる。この場合、外導体６４は必要に応じて折返し処理を施す。そして、上記同軸ケーブル６１は、外導体６４の露出部分をモールドケース１１内のケーブル保持金具２２上に位置させると共に、中心導体６２の先端をモールドケース１１の中心導体保持ケース２４に設けられた溝２９から中心導体保持部２８に挿入し、ワッシャ付ネジ３４を締め付けて固定する。また、ケーブル保持金具２２の上部開放端側を例えばペンチ等で挟んで締め付け、同軸ケーブル６１の外導体６４部分を固定し、同時に外導体６４をケーブル保持金具２２に電気的に接続する。これにより同軸ケーブル６１の外導体６４は、ケーブル保持金具２２を介してアースされる。
【００２６】
その後、モールドケース１１に対してモールドケースカバー１２を閉じる。このときシールドケース２１の上部開口面にシールドカバー４３が位置し、シールドカバー４３の各シールド面４６に形成された接点４８ａ、４８ｂ、４９ａ〜４９ｃがシールドケース２１のシールドカバーガイド４２ａ、４２ｂ及びシールド面４１の内側に圧接する。この結果、シールドケース２１とシールドカバー４３が電気的に接続され、中心導体保持ケース２４と共に中心導体保持部２８が確実にシールドされる。
【００２７】
また、上記モールドケース１１に対してモールドケースカバー１２を閉じた際、モールドケースカバー１２に形成されている係止片１４がモールドケース１１の凹部１５に挿入されて係止される。
【００２８】
図５は、上記のように構成された同軸ケーブル用プラグ１０のシールド特性を示したもので、横軸に周波数（ＭＨｚ）を取り、縦軸にシールド特性（ｄＢ）を取って示した。なお、図５における同軸ケーブル用プラグ１０のシールド特性ａは、従来の同軸ケーブル用プラグ、即ち、シールドケース２１にシールドカバーガイド４２ａ、４２ｂが設けられておらず、且つシールドカバー４３に接点４８ａ、４８ｂが設けられていない同軸ケーブル用プラグのシールド特性ｂを０ｄＢとした時の比較データを示したものである。上記図５は、縦軸数値が高くなるほどシールド特性が優れていることを示している。
【００２９】
上記実施形態による同軸ケーブル用プラグ１０では、図５のシールド特性からも明らかなように携帯電話やＰＨＳ等で使用されている１．５ＧＨｚ帯、２ＧＨｚ帯、２．５ＧＨｚ帯の周波数帯において特に高いシールド効果を得ることができた。
【００３０】
上記実施形態によれば、中心導体保持部２８をシールドするシールドケース２１にシールドカバーガイド４２ａ、４２ｂを設けると共に、シールドカバー４３のシールド面４６に前記シールドケース２１のシールド面４１及びシールドカバーガイド４２ａ、４２ｂに当接する接点４８ａ、４８ｂ、４９ａ〜４９ｃを設けることにより、モールドケースカバー１２を閉じた際にシールドカバー４３とシールドケース２１との電気的接続を確実に行なわせることができ、高周波信号に妨害を与える外来波の混入を防止することができる。
【００３１】
上記同軸ケーブル用プラグ１０は、例えばテレビ受像機のアンテナ接続端子（接栓）に同軸ケーブルを接続する場合や、テレビ受信機能を備えたパーソナルコンピュータのテレビ信号入力端子に同軸ケーブルを接続する場合等に利用することができる。
【００３２】
なお、上記実施形態では、モールドケース１１とモールドケースカバー１２を横開き形式で開閉できるように構成した場合について説明したが、その他、例えば縦開き形式で開閉できるようにしても良い。
【００３３】
また、本発明は、上記実施形態そのままに限定されるものではなく、実施段階ではその要旨を逸脱しない範囲で構成要素を変形して具体化できるものである。
【図面の簡単な説明】
【００３４】
【図１】本発明の一実施形態に係る同軸ケーブル用プラグの分解斜視図である。
【図２】同実施形態におけるモールドケースカバーを開いた状態を示す図である。
【図３】同実施形態におけるシールドケース及びケーブル保持金具部分の詳細を示し、（ａ）は平面図、（ｂ）はケーブル保持金具側から見た図、（ｃ）は側面図である。
【図４】同実施形態におけるシールドケースとシールドカバーとの関係を示す図である。
【図５】同実施形態におけるシールド特性を示す図である。
【符号の説明】
【００３５】
１０…同軸ケーブル用プラグ、１１…モールドケース、１２…モールドケースカバー、１３…ヒンジ部、１４…係止片、１５…凹部、１６…突部、１７ａ、１７ｂ…ケーブル挿通穴、１８…穴、１９…凹部、２０…端子ユニット、２１…シールドケース、２２…ケーブル保持金具、２３…端子部、２３ａ…外導体用端子、２３ｂ…中心導体用端子、２４…中心導体保持ケース、２５…爪、２６…スリット、２８…中心導体保持部、２９…溝、３１…穴、３２ａ、３２ｂ…外導体用端子の保持穴、３３ａ、３３ｂ…突部、３４…ワッシャ付ネジ、４１…シールド面、４２ａ、４２ｂ…シールドカバーガイド、４３…シールドカバー、４４…嵌合用突部、４６…シールド面、４７…スリット、４８ａ、４８ｂ、４９ａ〜４９ｃ…接点、５０…開放面、５１…切込み、６１…同軸ケーブル、６２…中心導体、６３…絶縁体、６４…外導体、６５…外部被覆。
【図１】
2007059137.tif 000003
【図２】
2007059137.tif 000004
【図３】
2007059137.tif 000005
【図４】
2007059137.tif 000006
【図５】
2007059137.tif 000007